(57)【要約】【課題】隙間等を介して侵入したピアノ線、セル棒が遊技球、コインの排出数を制御する電子部品に衝突するのを回避し、遊技球、コインを不正に排出させることを防止するパチンコ機及びスロット機を提供する。【解決手段】パチンコ機１裏面のボード２及びスロット機１１のケース１３内に設けられる遊技球、コインの排出数を制御する電子部品３，１４が設けられる。　パチンコ機１、スロット機１１の隙間１７、孔部６より侵入したピアノ線７，１８、セル棒８，１９が、電子部品３，１４のボード２の裏面より露出した部分５及びスロット機１１のケース１３内の電子部品３，１４に衝突することを回避するようにブロック板９が設けられる。このため、ピアノ線７，１８、セル棒８，１９が電子部品３，１４に衝突することが回避され、ピアノ線７，１８、セル棒８，１９による不正遊技行為を未然に防止できる。【選択図】　　　　　　　　図１
2004129758.tif 000002
【特許請求の範囲】
【請求項１】
パチンコ機の部品が取り付けられるボードに設けられ、遊技球の排出数を制御する電子部品と、
外部から前記パチンコ機の隙間及び／又は孔部を介して侵入したピアノ線及び／又はセル棒が前記電子部品が前記ボードの裏面より露出した部分に衝突することを回避するように前記ボードの裏面に設けられるブロック板と、から成ることを特徴とするパチンコ機。
【請求項２】
前記ブロック板は、既存の前記パチンコ機に後付される請求項１記載のパチンコ機。
【請求項３】
前記電子部品は、アタッカー、スタートセンサー、チューリップ、遊技球払出し中継基板である請求項１記載のパチンコ機。
【請求項４】
スロット機の部品が取り付けられるケース内に設けられ、遊技コインの排出数を制御する電子部品と、
外部から前記スロット機の隙間及び／又は孔部を介して侵入したピアノ線及び／又はセル棒が前記電子部品に衝突することを回避するように前記ケース内に設けられるブロック板と、から成ることを特徴とするスロット機。
【請求項５】
前記ブロック板は、既存の前記スロット機に後付される請求項４記載のスロット機。
【請求項６】
前記電子部品は、前記遊技コインの払出し装置及び大当たりの確率設定を変える装置である請求項４記載のスロット機。
【発明の詳細な説明】
【０００１】
【発明の属する技術分野】
本発明は、隙間等を介して侵入したピアノ線、セル棒が遊技球、コインの排出数を制御する電子部品に衝突するのを回避し、遊技球、コインを不正に排出させることを防止するパチンコ機及びスロット機に関する。
【０００２】
【従来の技術】
従来、例えば、特開２００１―１７０３１０において、パチンコ機が提案されている。
上述の従来例は、パチンコ機に設けられた遊技盤取付枠の下部裏面であり、遊技盤の下側縁側に、後方へ突出する所定長さの不正具侵入防止片を横設し、遊技機の機構板を閉じた時に、不正侵入防止片を機構板の内側に位置させることにより、針金などの不正具が遊技機裏面へその下方から侵入するのを阻止するようにしたものである。
【０００３】
【発明が解決しようとする課題】
そこで、本発明は、隙間等を介して侵入したピアノ線、セル棒が遊技球、コインの排出数を制御する電子部品に衝突するのを回避し、遊技球、コインを不正に排出させることを防止するパチンコ機及びスロット機を提供することを目的とする。
【０００４】
【課題を解決するための手段】
請求項１の本発明は、パチンコ機の部品が取り付けられるボードに設けられ、遊技球の排出数を制御する電子部品と、
外部から前記パチンコ機の隙間及び／又は孔部を介して侵入したピアノ線及び／又はセル棒が前記電子部品が前記ボードの裏面より露出した部分に衝突することを回避するように前記ボードの裏面に設けられるブロック板と、から成ることを特徴とするパチンコ機である。
【０００５】
請求項２の本発明は、前記ブロック板は、既存の前記パチンコ機に後付される請求項１記載のパチンコ機である。
【０００６】
請求項３の本発明は、前記電子部品は、アタッカー、スタートセンサー、チューリップ、遊技球払出し中継基板である請求項１記載のパチンコ機である。
【０００７】
請求項４の本発明は、スロット機の部品が取り付けられるケース内に設けられ、遊技コインの排出数を制御する電子部品と、
外部から前記スロット機の隙間及び／又は孔部を介して侵入したピアノ線及び／又はセル棒が前記電子部品に衝突することを回避するように前記ケース内に設けられるブロック板と、から成ることを特徴とするスロット機である。
【０００８】
請求項５の本発明は、前記ブロック板は、既存の前記スロット機に後付される請求項１記載のスロット機である。
【０００９】
請求項６の本発明は、前記電子部品は、前記遊技コイン払出し装置及び大当たり確率設定替え装置である請求項４記載のスロット機である。
【００１０】
請求項１の本発明のパチンコ機によれば、図１に示されるように、パチンコ機１の部品１０が取り付けられるボード２に設けられ、図示されない遊技球の排出数を制御する電子部品３と、外部からパチンコ機１の図示されない隙間及び／又は孔部６を介して侵入したピアノ線７及び／又はセル棒８が電子部品３がボード２の裏面４より露出した部分５に衝突することを回避するようにブロック板９がボード２の裏面４に設けられる。
このため、パチンコ機１の図示されない隙間及び／又は孔部６を介して侵入したピアノ線７及び／又はセル棒８の進路が変更され、電子部品３に衝突することが回避され、遊技球が不正に排出されることが防止される。
【００１１】
請求項２の本発明のパチンコ機によれば、図１に示されるように、ブロック板９は、既存のパチンコ機１に後付される。
このため、既存のパチンコ機１の構造、機構を改造又は変更することなく、所要の位置、寸法に、安価で簡単に取り付けができる。又、多種の形態を有するパチンコ機にも広範囲に適用が可能である。
【００１２】
請求項３の本発明の本発明のパチンコ機によれば、図１に示されるように、電子部品３は、アタッカー３ａ、スタートセンサー３ｂ、チューリップ３ｃ、遊技球払出し中継基板３ｄである。
このため、図示されない遊技球の排出数を制御する電子部品３に対するピアノ線７及び／又はセル棒８による不正遊技行為が未然に防止される。
【００１３】
請求項４の本発明のスロット機１１によれば、図２に示されるように、部品１２が取り付けられるスロット機１１のケース１３内に設けられ、図示されない遊技コインの排出数を制御する電子部品１４と、外部からスロット機１１の隙間１７及び／又は図示されない孔部を介して侵入したピアノ線１８及び／又はセル棒１９が電子部品１４に衝突することを回避するようにブロック板２０がケース１３内に設けられる。
このため、スロット機１１の隙間１７及び／又は図示されない孔部を介して侵入したピアノ線１８及び／又はセル棒１９の進路が変更され、電子部品１４に衝突することが回避され、コインが不正に排出されることが防止される。
【００１４】
請求項５の本発明のスロット機によれば、図２に示されるように、既存のスロット機１１に後付される。
このため、既存のスロット機１１の構造、機構を改造又は変更することなく、所要の位置、寸法に容易な方法により取り付けができる。又、多種の形態を有するスロット機にも広範囲に適用が可能である。
【００１５】
請求項６の本発明のスロット機によれば、図２に示されるように、電子部品１４は、図示されない遊技コイン払出し装置１４ａ及び大当たり確率設定替え装置１４ｂである。
このため、図示されない遊技コインの排出数を制御する電子部品１４に対するピアノ線１８及び／又はセル棒１９による不正遊技行為が未然に防止される。
【００１６】
【発明の実施の形態】
以下、本発明を、図面を参照して、その実施の形態に基づいて説明する。
本発明のパチンコ機のー実施の形態は、図１に示されるように、パチンコ機１の部品１０が取り付けられるボード２に図示されない遊技球の排出数を制御する電子部品３（アタッカー３ａ、スタートセンサー３ｂ、チューリップ３ｃ、遊技球払出し中継基板３ｄ）が設けられる。　外部からパチンコ機１の図示されない隙間及び／又は孔部６を介して侵入したピアノ線７及び／又はセル棒８が、電子部品３がボード２の裏面４より露出した部分５に衝突することを回避するように、ブロック板９がボード２の裏面４に設けられる。
ブロック板９は、好適には、ポリカーボネート又は、ＡＢＳ樹脂であるが、電気絶縁体で耐衝撃性、耐磨耗性が高けれは良く材質は限定されない。　又、ブロック板９の形状は、好適には、くの字状及び平板が用いられるが、寸法も含め、パチンコ機１の機種、電子部品３の形態、配置、進入経路等により、選択が可能であり限定されない。
又、設置位置は、好適には、パチンコ機１の裏面４内部への侵入の恐れのあるあらゆる図示されない隙間及び／又は孔部６の裏側周辺、又は、電子部品３に隣接した位置を含む、電子部品３への衝突が回避される位置、方向であれば良く限定されない。　ブロック板９をボード２に固定する方法は、好適にはボンドによる接着がコストがより少なくて済むが、ビス等による締結もブロック板２の位置変更等への対応性も高い。
さらに、ブロック板９は、その構造上、既存のパチンコ機１に後付で取り付けることが可能である。従って、既存のパチンコ機１の構造、機構を改造又は変更することなく、所要の位置、寸法に、安価で簡単に取り付けができる。又、多種の形態を有するパチンコ機にも広範囲に適用が可能である。無論、新規のパチンコ機に当初より組込み可能であることは言うまでもない。
このため、想定し得るあらゆるパチンコ機１の図示されない隙間及び／又は孔部６を介して侵入したピアノ線７及び／又はセル棒８の進路が変更され、電子部品３に衝突することが回避され、不正遊技行為が未然に防止される。
【００１７】
次に、本発明のスロット機のー実施の形態は、図２に示されるように、部品１２が取り付けられるスロット機１１のケース１３内に図示されない遊技コインの排出数を制御する電子部品１４（遊技コイン払出し装置１４ａ及び大当たり確率設定替え装置１４ｂ）が設けられる。　外部からスロット機１１の隙間１７及び／又は図示されない孔部を介して侵入したピアノ線１８及び／又はセル棒１９が、電子部品１４に衝突することを回避するようにブロック板２０がケース１３内に設けられる。
ブロック板２０は、好適には、ポリカーボネート又は、ＡＢＳ樹脂であるが、電気絶縁体で耐衝撃性、耐磨耗性が高けれは良く材質は限定されない。　又、ブロック板２０の形状は、好適には、くの字状及び平板が用いられるが、寸法も含め、スロット機１１の機種、電子部品の形態、配置、進入経路等により、選択が可能であり限定されない。
又、設置位置は、好適には、スロット機１１の裏面内部への侵入の恐れのあるあらゆる隙間１７及び／又は図示されない孔部の裏側周辺、又は、電子部品１４に隣接した位置を含む、電子部品１４への衝突が回避される位置、方向であれば良く限定されない。　ブロック板２０をケース１３に固定する方法は、好適にはボンドによる接着がコストがより少なくて済むが、ビス等による締結もブロック板２０の位置変更等への対応性も良い。
さらに、ブロック板２０は、その構造上、既存のスロット機の構造、機構を改造又は変更することなく、所要の位置、寸法に、安価で簡単に取り付けができる。又、多種の形態を有するスロット機にも広範囲に適用が可能である。　無論、新規のスロット機に当初より組込み可能であることは言うまでもない。
このため、想定し得るあらゆるスロット機１１の隙間１７及び／又は図示されない孔部を介して侵入したピアノ線１８及び／又はセル棒１９の進路が変更され、電子部品１４に衝突することが回避され、不正遊技行為が未然に防止される。
【００１８】
【発明の効果】
本発明は、以上説明したように、隙間等を介して侵入したピアノ線、セル棒が遊技球、コインの排出数を制御する電子部品に衝突するのを回避し、遊技球、コインを不正に排出させることを防止するという効果を奏する。
【図面の簡単な説明】
【図１】本発明の一実施の形態のパチンコ機の裏面図である。
【図２】本発明の一実施の形態のスロット機の裏面斜視図である。
【符号の説明】
１パチンコ機　　　　２ボード　　　　　　　３電子部品
３ａ　アタッカー　　　　３ｂ　スタートセンサー　３ｃ　　チューリップ
３ｄ遊技球払出し中継基板　　４裏面　　　　　５露出部分
６孔部　　　　　　　７　ピアノ線　　　　　８　セル棒
９ブロック板　　　　１０　部品　　　　　　　１１　スロット機
１２部品　　　　　　　１３ケース　　　　　　　１４電子部品
１４ａ　遊技コイン払出し装置　　　１４ｂ大当たり確率設定替え装置
１７　隙間　　　１８ピアノ線　　　１９セル棒　　　　２０ブロック板
【図１】
2004129758.tif 000003
【図２】
2004129758.tif 000004